(57)【要約】【課題】通気フィルタとしてのマスク本体と顔面との間に隙間が生じてしまうことを確実に防止することと、良好な装用感が得られることの両方の特徴を兼備したマスクを提供することを目的とする。【解決手段】本発明では、通気フィルタとしてのマスク本体２の周辺部に、形状維持性と可撓性を有する形状維持材によって形成された無端形状の形状維持体３が配置されると共に、形状維持体の顔面当接側には肌密着性を有するジェル層４が形成されており、更にマスク本体には、装用者の鼻に対応して、形状維持材によってマスク本体の外側方向に凸の湾曲形状に形成された湾曲維持体６が設けられており、湾曲維持体の形状維持作用は形状維持体の形状維持作用よりも大きく形成されているマスクが提案されている。【選択図】図１
2011045661.tif 000002
【特許請求の範囲】
【請求項１】
通気フィルタとしてのマスク本体の周辺部に、形状維持性と可撓性を有する形状維持材によって形成された無端形状の形状維持体が配置されると共に、形状維持体の顔面当接側には肌密着性を有するジェル層が形成されており、更にマスク本体には、装用者の鼻に対応して、形状維持材によってマスク本体の外側方向に凸の湾曲形状に形成された湾曲維持体が設けられており、湾曲維持体の形状維持作用は形状維持体の形状維持作用よりも大きく形成されていることを特徴とするマスク。
【請求項２】
湾曲維持体が帯状の形状維持材によって形成されていることを特徴とする請求項１に記載のマスク。
【請求項３】
湾曲維持体が棒状の形状維持材によって形成されていることを特徴とする請求項１に記載のマスク。
【請求項４】
湾曲維持体が、マスク本体の外面側に設けられていることを特徴とする請求項１に記載のマスク。
【請求項５】
湾曲維持体が、形状維持体とマスク本体間に設けられていることを特徴とする請求項１に記載のマスク。
【請求項６】
湾曲維持体が、形状維持体とジェル層間に設けられていることを特徴とする請求項１に記載のマスク。
【請求項７】
湾曲維持体が、ジェル層内に設けられていることを特徴とする請求項１に記載のマスク。
【請求項８】
形状維持体の鼻対応個所を他の個所よりも厚く形成することにより形状維持性を他の個所よりも大きくすると共に、その形状を湾曲形状として湾曲維持体として湾曲維持体として作用させることを特徴とする請求項１に記載のマスク。
【請求項９】
形状維持体が、帯状形状維持材により形成されていることを特徴とする請求項１に記載のマスク。
【請求項１０】
形状維持体が、帯状形状維持材と可撓材の積層構造として形成されていることを特徴とする請求項１に記載のマスク。
【請求項１１】
積層構造が、マスク本体側とジェル層側に配置した帯状形状維持材と、それらに挟まれた可撓材の三層構造であることを特徴とする請求項１０に記載のマスク。
【請求項１２】
形状維持体は、筒状体として形成し、その内部空間に水を充填可能とすると共に、上記ジェル層側に通水孔が形成されていることを特徴とする請求項１に記載のマスク。
【請求項１３】
筒状体内に多孔質の保水材が充填されていることを特徴とする請求項１２に記載のマスク。
【請求項１４】
多孔質の保水材は、スポンジ、ゼオライトまたは活性炭から選択されたものであることを特徴とする請求項１３に記載のマスク。
【請求項１５】
筒状体には、マスク本体側に通水孔が形成されていることを特徴とする請求項１２に記載のマスク。
【請求項１６】
形状維持材が、ポリプロピレン樹脂、ポリエチレン樹脂、シリコーン樹脂等の合成樹脂である請求項１に記載のマスク。
【請求項１７】
可撓材が形状維持材よりも形状維持性が低く、可撓性が高い合成樹脂である請求項１０又は１１に記載のマスク。
【請求項１８】
形状維持材が、形状記憶合金、形状記憶樹脂、又は超弾性合金等の形状記憶素材であることを特徴とする請求項１に記載のマスク。
【請求項１９】
肌密着性を有するジェルが親水性ジェルであることを特徴とする請求項１に記載のマスク。
【請求項２０】
マスク本体が形状維持体に対して着脱可能に構成されていることを特徴とする請求項１に記載のマスク。
【発明の詳細な説明】
【技術分野】
【０００１】
本発明は、装用時に鼻と口を覆うことにより、塵埃やウィルス、花粉等の空気中の微細な異物の侵入を防いだり、患者等の口腔や鼻腔からの飛沫の拡散を防いだりするためのマスクに関する。
【背景技術】
【０００２】
従来の一般的な衛生用マスクでは、装用時に、通気フィルタとしてのマスク本体と顔面との間に隙間が生じてしまうため、この隙間を通しての異物の侵入又は流出は防ぐことができない。このため、このような不具合を解決するための提案が従来からなされている。
【０００３】
例えば特許文献１に記載のものでは、通気フィルタとしてのマスク本体の周辺部に、高粘弾性の粘着剤として、アクリル酸化合物やゼラチン等の水溶性高分子等の高含水性のジェルを設置して、これにより顔面への密着を図っている。
【０００４】
しかしながらこのようなマスクにおいては、次のような問題点がある。
まず、高含水性のジェルの形状維持機能が低いため、顔面の運動や外力によるマスク本体の変形によって、マスク本体の一部が顔面から離れてしまい、そこに隙間が生じてしまうという問題点がある。
【０００５】
また高含水性のジェルは、含有している水分が蒸発して乾燥しやすく、乾燥によって粘着性が低下して顔面から離れ易くなってしまうという問題点がある。このことから特許文献１のマスクは、水蒸気を通しにくいフィルムで形成された袋内に密封された状態で市販されるのが好ましいとされている。
【０００６】
一方、他の従来技術として、特許文献２に記載のものでは、マスク本体の周辺部に独立気泡型または表面緻密層を有する連続気泡型の発泡部材と、この発泡部材の顔面に対する側の前面に設けられた接着性部材とから成る装着部を設置している。
【０００７】
このマスクでは、装用時に、装着部の発泡部材が、その柔軟性により顔面の凹凸に合わせて変形することにより、マスク本体の周辺部に隙間を無くし、そして接着性部材が顔面に接着するというものである。接着性部材としては、ポリアクリル酸系接着性物質を発泡部材に塗布して形成した接着剤層、接着テープ又は発泡部材に接着性物質を含浸させたもの等が挙げられている。
【０００８】
しかしながらこのようなマスクにおいては、次のような問題点がある。
即ち、このマスクにおいて、装着部を構成する発泡部材は、上述したように、その柔軟性により顔面の凹凸に合わせて変形させて、マスク本体の周辺部に隙間を無くすものであるから、形状維持機能は低く、それだけでは顔面の運動や外力によるマスク本体の変形によって、マスク本体の一部が顔面から離れてしまい、そこに隙間が生じてしまうことも起こり得るため、接着性部材が必須であり、必要な接着力も比較的大きい。このように比較的大きな接着力の接着剤が顔面に当接することは、肌に大きな違和感を感じさせて装用感が悪く、また女性が装用した場合には化粧崩れの原因ともなりかねない。
【０００９】
またマスク本体を顔面の凹凸に合わせて変形させるにしても、鼻は両頬から大きく隆起しているので、その凹凸に合わせて変形するのは比較的困難であり、鼻と両頬で形成される凹部にどうしても隙間が生じ易い。そのため、例えば特許文献３に記載されているマスクでは、マスク本体の上端縁に、内側下方に折り曲げられる非通気性の弾性折曲片部を設けて、鼻と両頬との間に形成される隙間を塞ぐようにしている。
【００１０】
しかしながら、弾性折曲片部では、上記隙間から眼鏡の方向への直接的な気流を防いで、眼鏡の曇り止めを図ることはできるが、隙間を完全に塞ぐことはできず、その隙間を通しての空気の流通を防ぐことはできない。
【先行技術文献】
【特許文献】
【００１１】
【特許文献１】特開平１１−１２８３７８号公報
【特許文献２】特開２００５−１３４９２公報
【特許文献３】特開２００９−６６３８２号公報
【発明の開示】
【発明が解決しようとする課題】
【００１２】
このように従来技術のマスクでは、通気フィルタとしてのマスク本体と顔面との間に隙間が生じてしまうことを確実に防止することと、良好な装用感が得られることの両方の特徴を兼備したものはなく、いずれかの側に問題点が生じてしまう。
【００１３】
そこで本発明では、このような両方の特徴を兼備するマスクを提供することを第１の目的としている。
【００１４】
また本発明では、上述したような従来の技術を始めとして、従来のマスクでは全く想定されていない、薬剤を利用しての細菌、ウィルス除去能力を高めることができるマスクを提供することを第２の目的としている。
【課題を解決するための手段】
【００１５】
本発明では、上述した課題を解決するために、通気フィルタとしてのマスク本体の周辺部に、形状維持性と可撓性を有する形状維持材によって形成された無端形状の形状維持体が配置されると共に、形状維持体の顔面当接側には肌密着性を有するジェル層が形成されており、更にマスク本体には、装用者の鼻に対応して、形状維持材によってマスク本体の外側方向に凸の湾曲形状に形成された湾曲維持体が設けられており、湾曲維持体の形状維持作用は形状維持体の形状維持作用よりも大きく形成されているマスクを提案する。
【００１６】
また本発明では、上記の構成において、湾曲維持体が帯状の形状維持材によって形成されているマスクを提案する。
【００１７】
また本発明では、上記の構成において、湾曲維持体が棒状の形状維持材によって形成されているマスクを提案する。
【００１８】
また本発明では、上記の構成において、湾曲維持体が、マスク本体の外面側に設けられているマスクを提案する。
【００１９】
また本発明では、上記の構成において、湾曲維持体が、形状維持体とマスク本体間に設けられているマスクを提案する。
【００２０】
また本発明では、上記の構成において、湾曲維持体が、形状維持体とジェル層間に設けられているマスクを提案する。
【００２１】
また本発明では、上記の構成において、湾曲維持体が、ジェル層内に設けられているマスクを提案する。
【００２２】
また本発明では、上記の構成において、形状維持体の鼻対応個所を他の個所よりも厚く形成することにより形状維持性を他の個所よりも大きくすると共に、その形状を湾曲形状として湾曲維持体として湾曲維持体として作用させるマスクを提案する。
【００２３】
また本発明では、上記の構成において、形状維持体が、帯状形状維持材により形成されているマスクを提案する。
【００２４】
また本発明では、上記の構成において、形状維持体が、帯状形状維持材と可撓材の積層構造として形成されているマスクを提案する。そして本発明では、この積層構造が、マスク本体側とジェル層側に配置した帯状形状維持材と、それらに挟まれた可撓材の三層構造であるマスクを提案する。
【００２５】
また本発明では、上記の構成において、形状維持体を筒状体として形成し、その内部空間に水を充填可能とすると共に、上記ジェル層側に通水孔が形成されているマスクを提案する。
【００２６】
また本発明では、上記の構成において、筒状体内に多孔質の保水材が充填されているマスクを提案する。
【００２７】
また本発明では、上記の構成において、多孔質の保水材は、スポンジ、ゼオライトまたは活性炭から選択されたものであるマスクを提案する。
【００２８】
また本発明では、上記の構成において、筒状体には、マスク本体側に通水孔が形成されているマスクを提案する。
【００２９】
また本発明では、上記の構成において、形状維持材が、ポリプロピレン樹脂、ポリエチレン樹脂、シリコーン樹脂等の合成樹脂であるマスクを提案する。
【００３０】
また本発明では、上記の構成において、可撓材が形状維持材よりも形状維持性が低く、可撓性が高い合成樹脂であるマスクを提案する。
【００３１】
また本発明では、上記の構成において、形状維持材が、形状記憶合金、形状記憶樹脂、又は超弾性合金等の形状記憶素材であるマスクを提案する。
【００３２】
また本発明では、上記の構成において、肌密着性を有するジェルが親水性ジェルであるマスクを提案する。
【００３３】
また本発明では、上記の構成において、マスク本体が形状維持体に対して着脱可能に構成されているマスクを提案する。
【発明の効果】
【００３４】
本発明のマスクでは、装用する人の鼻と口の周りに対応した無端形状の形状維持体がマスク本体の周辺部に配置されており、装用時には、この無端環状の形状維持体は、その形状維持性と可撓性により装用者の鼻と口の周りの形状にある程度対応した形状に維持され、この状態において、形状維持体の顔面当接側に形成された肌密着性を有するジェル層が顔面の肌に密着する。
【００３５】
同時に、マスク本体には、装用者の鼻に対応して、形状維持材によってマスク本体の外側方向に凸の湾曲形状に形成された湾曲維持体が設けられており、湾曲維持体の形状維持作用は形状維持体の形状維持作用よりも大きく構成されていることから、形状維持体は装用者の鼻対応個所において湾曲維持体の湾曲形状により、鼻の凸形状に沿って曲げられる。即ち、形状維持体は、湾曲維持体の湾曲形状により、鼻の根元側まで凸形状に曲げられ、次いで自体の形状維持性と可撓性により、鼻と頬とによる凹形状に沿って曲げられる。
【００３６】
こうして形状維持体は、装用者の鼻と口の周りの曲面形状に良好に対応し、この状態において形状維持体の顔面当接側に形成された肌密着性を有するジェル層が顔面の肌に密着し、隙間を生じない。
【００３７】
こうして無端形状の形状維持体の内外への空気流通はジェル層によって確実に阻止されるため、鼻と口に対する空気流通はマスク本体を通してのみとなり、塵埃やウィルス、花粉等の空気中の微細な異物がマスク本体と顔面との隙間から侵入したり、飛沫が外部に拡散することを確実に防止することができる。
【００３８】
顔面への密着は親水性ジェル等のジェル層を介して行われるので、接着剤のように違和感を生じることなく、装用感が良好であり、女性が装用して化粧崩れを起こすこともない。
【００３９】
ここで湾曲維持体は、帯状又は棒状の形状維持材により形成することができ、また形状維持体は、帯状に形成した形状維持材自体により形成することもできるし、帯状形状維持材と可撓材の積層構造として形成することもできる。その場合、積層構造が、マスク本体側とジェル層側に配置した帯状形状維持材と、それらに挟まれた可撓材の三層構造である場合には、マスク本体とジェル層のいずれも夫々の形状維持体により、良好に形状維持が行われると共に、これらの両側の形状維持材によって可撓材を挟持していることによって、変形性も良く、従って形状維持体を、装用者の顔の形状に良く合わせた無端形状に変形して維持することができる。
【００４０】
また形状維持体の鼻対応個所を湾曲形状に形成すると共に形状維持性を他の個所よりも大きくして湾曲維持体として作用させることもできる。
【００４１】
湾曲維持体又は形状維持体の上述した機能を発揮するために、形状維持材としては、適度の形状維持性と可撓性を有するプラスチックを用いることができる他、形状記憶合金、形状記憶樹脂、又は超弾性合金等の形状記憶素材を用いることができる。
【００４２】
次に本発明では、形状維持体を筒状体として構成して水を充填可能とし、この筒状体内に水を充填しておけば、充填されている水は毛細管現象により、通水孔を経てジェル層に供給されるので、ジェル層が乾燥して密着力が低下することを防止することができる。
【００４３】
また筒状体には、マスク本体側にも通水孔を形成すれば、この通水孔からマスク本体に供給される水分は、使用者の鼻や口の周囲の空間の保湿力を高めるため、薬液と共に、ウィルスや細菌の繁殖を抑える効果がある。
【００４４】
また筒状体には、水と共に殺菌剤、除菌剤、制菌剤等の薬剤を入れれば、薬剤は、水と共にジェル層やマスク本体に供給され、雑菌の繁殖を防止することができる。そして筒状体には、水や殺菌剤等を蓋付きの開口を介して補充可能とすることにより、繰り返しの使用が可能となる。
【００４５】
また本発明のマスクでは、マスク本体を形状維持体に対して着脱可能に構成すれば、マスク本体を交換することにより、繰り返しの使用が可能となる。
【図面の簡単な説明】
【００４６】
【図１】図１は、本発明のマスクの第１の実施の形態を装用状態において示す模式的正面図である。
【図２】図２は、図１の模式的縦断面図である。
【図３】図３は、図２のＡ−Ａ線模式的断面図である。
【図４】図４は、本発明のマスクの第２の実施の形態を装用状態において示すもので、図３と同様な個所の模式的断面図である。
【図５】図５は、本発明のマスクの第３の実施の形態を装用状態において示すもので、図３と同様な個所の模式的断面図である。
【図６】図６は、本発明のマスクの第４の実施の形態を装用状態において示すもので、図３と同様な個所の模式的断面図である。
【図７】図７は、本発明のマスクの第５の実施の形態を装用状態において示すもので、図３と同様な個所の模式的断面図である。
【図８】図８は、本発明のマスクの第１〜第５の実施の形態において、図１のＢ−Ｂ線に対応する個所の模式的拡大断面図である。
【図９】図９は、本発明のマスクの第６の実施の形態において、図１のＢ−Ｂ線に対応する個所の模式的拡大断面図である。
【図１０】図１０は、本発明のマスクの第７の実施の形態において、図１のＢ−Ｂ線に対応する個所の模式的拡大断面図である。
【図１１】図１１は、本発明のマスクの第８の実施の形態において、図１のＢ−Ｂ線に対応する個所の模式的拡大断面図である。
【図１２】図１２は、形状維持体の無端形状の例を示す模式的斜視図である。
【図１３】図１３は、形状維持体の無端形状の他の例を示す模式的斜視図である。
【発明を実施するための形態】
【００４７】
次に本発明の実施の形態を、添付図面を参照して説明する。
まず図１〜図３に示す第１の実施の形態において、符号１は本発明のマスクを概して示すもので、本発明のマスクは、通気フィルタとしてのマスク本体２の周辺部に、形状維持性と可撓性を有する形状維持材によって形成された無端形状の形状維持体３が配置されると共に、形状維持体３の顔面当接側には肌密着性を有するジェル層４が形成されており、更にマスク本体２には、装用者５の鼻に対応して、形状維持材によってマスク本体の外側方向に凸の湾曲形状に形成された湾曲維持体６が設けられており、この湾曲維持体６の形状維持作用は、形状維持体３の形状維持作用よりも大きく形成されている。
【００４８】
ここで、通気フィルタとしてのマスク本体２としては、フィルター性能の高い不織布等の素材を用いることができる。また形状維持体３と湾曲維持体６を構成する形状維持材５としては、上述したとおり、適度の形状維持性と可撓性を有するプラスチックを用いることができる他、形状記憶合金、形状記憶樹脂、又は超弾性合金等の形状記憶素材を用いることができる。また肌密着性を有するジェルとしては親水性ジェルを用いることができる。
【００４９】
図１〜図３に示す第１の実施の形態においては、湾曲維持体６は、形状維持材をマスク本体２の外側方向に凸に湾曲させた帯状片として形成されており、マスク本体２の外面側に設けられている。この湾曲維持体６は図示を省略しているが、棒状の部材として形成することもできる。湾曲維持体６の湾曲形状は、鼻の横断面形状に対応させた形状とするが、装用者毎に、それらの鼻の断面形状の大小に対応して良好に装着できるように、例えば大、中、小というような複数種類の湾曲形状を有する湾曲維持体６を設けたマスクとして提供することができる。また湾曲維持体６の湾曲形状は、両端部間の距離を、そこに対応する鼻の幅よりも僅かに短く形成して、マスクの装着時に湾曲維持体６の突端側を押圧して弾性的に鼻を挟持するようにすることもできる。
【００５０】
以上の構成において、この実施の形態のマスク１では、装用者５はマスク本体２を鼻と口の周辺に宛がい、支持紐体７を耳に掛けて装用する。
【００５１】
本発明のマスクでは、装用者５の鼻と口の周りに対応した無端形状の形状維持体３がマスク本体２の周辺部に配置されており、装用時には、この無端環状の形状維持体３は、その形状維持性と可撓性により装用者５の鼻と口の周りの形状にある程度対応した形状に維持され、この状態において、形状維持体３の顔面当接側に形成された肌密着性を有するジェル層４が顔面の肌に密着する。
【００５２】
同時に、マスク本体２には、装用者５の鼻に対応して、マスク本体２の外面側に湾曲維持体６が設けられており、湾曲維持体６の形状維持作用は形状維持体３の形状維持作用よりも大きく構成されていることから、形状維持体３は装用者５の鼻対応個所において湾曲維持体６の湾曲形状により、鼻の凸形状に沿って曲げられる。即ち、形状維持体３は、湾曲維持体６の湾曲形状により、図３に示されるように、鼻の根元側まで凸形状に曲げられ、次いで自体の形状維持性と可撓性により、鼻と頬とによる凹形状に沿って曲げられる。
【００５３】
こうして形状維持体３は、装用者５の鼻と口の周りの曲面形状に良好に対応し、この状態において形状維持体３の顔面当接側に形成された肌密着性を有するジェル層４が顔面の肌に密着し、隙間を生じない。
【００５４】
こうして無端形状の形状維持体３の内外への空気流通はジェル層４によって確実に阻止されるため、鼻と口に対する空気流通はマスク本体２を通してのみとなり、塵埃やウィルス、花粉等の空気中の微細な異物がマスク本体２と顔面との隙間から侵入したり、飛沫が外部に拡散することを確実に防止することができる。
【００５５】
顔面への密着は親水性ジェル等のジェル層４を介して行われるので、接着剤のように違和感を生じることなく、装用感が良好であり、女性が装用して化粧崩れを起こすこともない。
【００５６】
尚、以上に説明した実施の形態では、マスク１は、マスク本体２に支持紐体７を設けているが、この他、専ら、ジェル層４の肌密着性によって顔面に支持する構成としても良い。
【００５７】
ここで上述した実施の形態のマスク１では、装用者５の鼻の個所において凹凸に応じて形状維持体３を湾曲させるための湾曲維持体６は、マスク本体２の外面側に設けているが、以下に示すように他の個所に設けることもできる。
【００５８】
まず図４に示す本発明のマスク１の第２の実施の形態では、湾曲維持体６は、形状維持体３とマスク本体２間に設けられている。また図５に示す本発明のマスク１の第３の実施の形態では、湾曲維持体６は、形状維持体３とジェル層４間に設けられている。また図６に示す本発明のマスク１の第４の実施の形態では、湾曲維持体６はジェル層４内に設けられている。更に図７に示す本発明のマスク１の第５の実施の形態では、形状維持体の鼻対応個所を他の個所よりも厚く形成することにより形状維持性を他の個所よりも大きくすると共に、その形状を湾曲形状として湾曲維持体６として作用させている。
【００５９】
これらの実施の形態のいずれの構成においても、湾曲維持体６は図示されているように帯状片として形成する他、棒状体として形成することもできる。
【００６０】
次に、図５は、本発明のマスク１の上述した第１〜第５の実施の形態において、図１のＢ−Ｂ線に対応する個所の模式的拡大断面図である。この図に示される形状維持体３は、上述したような形状維持材自体により帯状に形成したものであるが、その他、以下に示すように形成することができる。
【００６１】
まず、図９は本発明の第６の実施の形態のマスクの要部を拡大して示すもので、この実施の形態では、形状維持体３を、帯状形状維持材８と可撓材９の積層構造として形成している。即ち、この積層構造は、マスク本体２側とジェル層４側の夫々に対応して配置した帯状形状維持材８，８により可撓材９を挟んだ構造であり、このような積層構造では、マスク本体２とジェル層４のいずれもが夫々の帯状形状維持材８，８により、良好に形状維持が行われると共に、これらの両側の帯状形状維持材８，８によって可撓材９を挟持していることによって、変形性も良く、従って形状維持体３を、装用者５の顔の形状に良く合わせた無端形状に変形して維持することができる。
この場合、可撓材９としては形状維持材よりも形状維持性が低く、可撓性が高い合成樹脂を用いることができる。
【００６２】
次に、図１０は本発明の第７の実施の形態のマスクの要部を拡大して示すもので、この実施の形態では、この実施の形態は、上述した各実施の形態における形状維持体３を筒状体として構成して、その内部空間８に水９を充填可能とした構成である。従って、上述の実施の形態と同様な構成要素には同一の符号を付して重複する説明は省略する。
【００６３】
即ち、この実施の形態のマスク１は、通気フィルタとしてのマスク本体２の周辺部に、形状維持機能を有する形状維持体３としての筒状形状維持材１０が無端形状に配置されており、この筒状形状維持材１０の顔面当接側には肌密着性を有するジェル層４が形成され、そして筒状形状維持材１０は、その内部空間１１に水を充填可能に構成されており、そしてジェル層４側に通水孔１２が形成されている。またこの実施の形態では、形状維持体３のマスク本体２側にも通水孔１３が形成されている。
【００６４】
水を充填可能とするために、筒状形状維持材１０には適所に液体注入口１４が設けられており、図１０に２点鎖線で示しているように注射器１５等の道具を用いて、純粋な水又は薬液を溶解した水を注入可能に構成している。図示は省略しているが、液体注入口１４には適宜の開閉蓋を設けたり、或いはバイアル瓶のゴム栓のように、注射針を穿刺した後も液体の漏出を防止することができるゴム栓を設けることができる。
【００６５】
以上の構成において、この実施の形態のマスク１では、形状維持機能を有する形状維持体３としての筒状形状維持材１０が、装用者５の鼻と口の周りに対応した無端形状の周壁として配置されるので、この無端環状の筒状形状維持材１０の形状維持機能により、装用者５の鼻と口の周りの形状に、ある程度対応した状態において、筒状形状維持材１４の顔面当接側に形成された肌密着性を有するジェル層４が装用者５の顔面の肌に密着して隙間をつくらず、上述した実施の形態と同様な数々の利点を有する。
【００６６】
この実施の形態では、筒状形状維持材１０の内部空間１１に水を充填しておくと、充填されている水は毛細管現象により、通水孔１２を経てジェル層４に供給されるので、ジェル層４が乾燥して密着力が低下することを防止することができる。
【００６７】
また筒状形状維持材１０の内部空間８には水と共に殺菌剤、除菌剤、制菌剤等の薬剤を入れておけば、薬剤は水と共にジェル層４に供給され、雑菌の繁殖を防止することができる。
【００６８】
この実施の形態においては、筒状形状維持材１０にマスク本体２側にも通水孔１３が形成されているので、筒状形状維持材１０の内部空間１１に水と共に上述したような薬剤を入れておけば、薬剤は水と共にマスク本体２にも供給されるので、マスク本体２はウィルスや細菌等の高い除去能力を得ることができる。
【００６９】
また筒状形状維持材１０内からジェル層４又はマスク本体２に供給される水分は、鼻や口の周囲の空間の保湿力を高めるため、薬液と共に、ウィルスや細菌の繁殖を抑える効果がある。
【００７０】
次に図１１は本発明のマスクの第８の実施の形態の要部の拡大断面説明図であり、この第８の実施の形態は、第７の実施の形態における筒状形状維持材１０内に多孔質の保水材１６が充填されているものである。この多孔質の保水材１６としては、例えばスポンジ、ゼオライトまたは活性炭等を使用することができる。また保水材１６の形状も、図１１に示されるようなビーズ状とする他、塊状、繊維状等適宜である。
【００７１】
この第８の実施の形態では、水又は薬剤を含む水は多孔質の保水材１６に保水されるため、無端形状の筒状形状維持材１０の全体に渡って均一に保水することができ、マスク本体２やジェル層４の湿度が低下した場合には、それらに効率的に水が供給される。
【００７２】
以上に説明した本発明の各実施の形態のマスクにおいて、形状維持体３（帯状形状維持材８，筒状形状維持材１０）の無端形状は、例えば図１２示すように装用者５の鼻と口の周囲の比較的狭い範囲を囲む形状とする他、図１３に示すように鼻と口の周囲の広い範囲を囲む形状とする等、適宜に構成することができる。
【００７３】
また、以上に説明した本発明のマスクにおいては、例えばマスク本体２に、無端環状の形状維持体３に対応して剥離紙を有する接着テープ部（図示省略）を設けて、形状維持体３に対して着脱可能とすれば、所定期間使用したマスク本体２を、接着テープ部を剥がすことにより形状維持体３から外して、新しいマスク本体２を接着テープ部により貼り付けて固定することができる。この場合、本発明のマスクは、マスク本体２を取り換えると共に、水や、薬剤を含んだ水を補充することによって繰り返しの使用が可能である。
【符号の説明】
【００７４】
１              マスク
２              マスク本体
３              形状維持体
４              ジェル層
５              装用者
６              湾曲維持体
７              支持紐体
８              帯状形状維持材
９              可撓材
１０            筒状形状維持材
１１            内部空間
１２，１３      通水孔
１４            液体注入口
１５            注射器
１６            保水材
【図１】
2011045661.tif 000003
【図２】
2011045661.tif 000004
【図３】
2011045661.tif 000005
【図４】
2011045661.tif 000006
【図５】
2011045661.tif 000007
【図６】
2011045661.tif 000008
【図７】
2011045661.tif 000009
【図８】
2011045661.tif 000010
【図９】
2011045661.tif 000011
【図１０】
2011045661.tif 000012
【図１１】
2011045661.tif 000013
【図１２】
2011045661.tif 000014
【図１３】
2011045661.tif 000015